(57)【特許請求の範囲】
【請求項１】
細径パイプがその一部を残して太径パイプ内を伸縮自在とされ、細径パイプと太径パイプとの間に引張り弾性体を内臓させた伸縮式手すり本体の両端部を、左右配置で壁面に取り付けるべく、伸縮式手すり本体の一端部は回動側取付具を介して上下方向に回動可能に支持され、他端部は脱着側取付具を介して脱着可能に支持されている手すりにおいて、
細径パイプと太径パイプの外端部にはそれぞれ端末キャップが固着され、伸縮式手すり本体の一端部は、端末キャップと回動側取付具により、上下方向と水平方向とに回動可能に支持され、伸縮式手すり本体の他端部は、端末キャップと脱着側取付具との間に、中心軸を上下方向沿いにして、一方には本体内に前進方向への付勢力を付与された進退ピンを内臓された脱着機能具を有し、他方には前記進退ピンの先端部が嵌合する嵌合穴を有する一対の構成と、一方には前後方向沿いの脱着ガイド溝を有し、他方には該脱着ガイド溝内に位置する伸縮阻止片を有する一対の構成とを備え、脱着側端末キャップの脱着側取付具への装着状態では、前記伸縮阻止片が前記脱着ガイド溝内に位置して、常時伸縮式手すり本体の伸縮方向への伸縮を阻止されると共に、進退ピンが前進していて該進退ピンの先端部が前記嵌合穴に嵌合して当該端末キャップの前後方向への移動を拘束されていて、進退ピンを後退させると該進退ピンの先端部が前記嵌合穴から抜けて当該端末キャップの前後方向への移動の拘束を解除される構成であることを特徴とする手すり。
【請求項２】
伸縮阻止片が、脱着機能具における本体の先端部分であることを特徴とする請求項１に記載の手すり。
【請求項３】
脱着機能具は、進退ピンの後退状態で該進退ピンの先端部の一部分が脱着ガイド溝まで突き出していて、伸縮阻止片が、進退ピンにおける前記先端部であることを特徴とする請求項１に記載の手すり。
【請求項４】
伸縮阻止片が、伸縮式手すり本体の他端部に固着した端末キャップであることを特徴とする請求項１に記載の手すり。
【請求項５】
細径パイプがその一部を残して太径パイプ内を伸縮自在とされ、細径パイプと太径パイプとの間に引張り弾性体を内臓させた伸縮式手すり本体において、
前記引張り弾性体にはゴム性弾性体を使用し、該ゴム性弾性体の一端には細径パイプ側拘束具を、他端には太径パイプ側拘束具を固着され、両拘束具の外寸はそれぞれ、それぞれの側のパイプの外寸以下・内寸以上とされて、細径パイプ側拘束具は細径パイプの外端面に、太径パイプ側拘束具は太径パイプの外端面にそれぞれ係止可能であり、細径パイプ側拘束具は、外寸の一部を細径パイプ内を挿通可能な寸法に設定されるとともに、その一部に引掛け穴又は引掛け溝が形成されていて、細径パイプと太径パイプの外端部はそれぞれ、パイプの外端面に拘束具を係止させた状態で端末キャップを固着されていることを特徴とする手すりに使用可能な伸縮式手すり本体。
【発明の詳細な説明】
【０００１】
【発明が属する技術分野】
本発明は、主として高齢者・障害者に対する介護用・自助用として、一般住宅や施設等の玄関、浴室等の出入り口に、扉を横切って横架させる姿勢でほぼ水平に取り付け、高齢者・障害者がこの手すりに添って歩行できるように使用し、また、不使用時には健常者の出入りの邪魔にならないように、出入り口の片側横に吊り下げて置くことが可能な手すり及び同手すりに使用可能な伸縮式手すり本体に関する。
【０００２】
【従来の技術】
従来は、 図２２のように、出入り口１を横切るように伸縮式手すり本体２を取り付けた場合は、出入り口１回りの壁面１２の左右の一方側（例えば左側）に、該手すり本体２の一方端部を回動自在に手すり支持具ａに取り付け、他方側（例えば右側）には、該手すり本体２の他端部を脱着可能に脱着機能具ｃを有する脱着取付具ｂに取り付けている。そして、不使用時は伸縮式すり本体２は手すり支持具ａに吊り下げて邪魔にならないように片付けている。
伸縮式手すり本体２の脱着側端部には、進退ピンｄの前進時に、該進退ピンｄの先端部ｋが嵌合する嵌合穴ｅが形成され、該伸縮式手すり本体２の回動側端部は、手すり支持具ａに上下方向にのみ回動自在に支持されている。
しかして、伸縮式手すり本体２の脱着側端部を、脱着取付具ｂに取り付けるには、一方の手で脱着側のパイプ（例えば細径パイプ）を握り、伸縮式手すり本体２の伸縮方向に脱着側端部を脱着取付具ｂ内の所定位置にまで引き出し、他方の手で進退ピンｄの後端部の握り玉ｃ１を持ち上げて進退ピンｄを後退させた状態から、握り玉ｃ１を他方の手から離す。次いで一方の手で脱着側パイプを握ったまま脱着側端部を伸縮方向に多少行き来きさせて、進退ピンｄの先端部ｋを脱着側端部の嵌合穴ｅに嵌合させる。
他方、伸縮式手すり本体２の脱着側端部を、脱着取付具ｂから脱出させる場合は、圧縮コイルばねｆに抗して握り玉ｃ１を持ち上げ、進退ピンｄを後退させて、該進退ピンｄの先端部ｋを脱着側端部の嵌合穴ｅから抜くと、伸縮式手すり本体２が引張り弾性体としての引張りコイルばねｇに引張られて伸縮方向に縮小されて脱出する。
また、従来、引張りコイルばねｇを内臓させた伸縮自在な伸縮式手すり本体２は、図２１に図示したように、軸方向一方端にピン差込穴ｈを設けた太径パイプ２１と、同構成で該太径パイプ２１より僅かに細い細径パイプ２２を用い、引張りコイルばねｇの両端部は両パイプの端部のピン差込穴ｈに配置したピンｐに固定して、太径パイプ２１と細径パイプ２２間に引張りコイルばねｇを内臓させて伸縮可能にしている。
【０００３】
【発明が解決しようとする課題】
（１）従来の伸縮式手すり本体２を使用した手すりの場合は、伸縮式手すり本体２の脱着側端部を、脱着取付具ｂから脱出させる際には、脱着側のパイプを確実に一方の手に握って支えておかないと、脱着側脱出と同時に伸縮式手すり本体２の重さと、引張りコイルばねｇの伸縮方向（縮小方向）への強い復元力とを伴って、伸縮時に人や物に強く勢い良く衝突し、怪我をさせるという問題点がある。
（２）伸縮式手すり本体２は、太径パイプ２１及び細径パイプ２２の端部に、引張りコイルばねｇを取り付けるためのピン差込穴ｈの穴開けを行うが、このピン差込穴ｈの穴開けを工作機械で加工するためその手間が必要であるという問題点がある。
また、この場合に、引張りコイルばねｇの両端をピンｐに固定する作業が困難であるという問題点がある。すなわち、引張りコイルばねｇは、テンションを加えた状態でセットする必要があるため、特に後でピンｐに固定する作業がむずかしいという問題点がある。
（３）伸縮式手すり本体２は、引張り弾性体として引張りコイルばねｇを使用しているため、伸縮式手すり本体２は重量が重くなり、コスト高になる。
（４）伸縮式手すり本体２は、伸縮時において、内蔵した引張りコイルばねｇとパイプ内面が接触して金属的擦れ音が発生し、製品として不都合である等の問題点がある。
本発明は、伸縮式手すり本体が、脱着取付具から取り外した際に、伸縮式手すり本体の脱着側端部の脱出と同時に急激に縮小することにより、取り外し作業者が怪我等をするのを防止する伸縮式手すりの提供、及び同手すりに使用可能であり、容易にかつ軽量・安価に擦れ音なく製作可能な伸縮式手すり本体の提供を目的としている。
【０００４】
【課題を解決するための手段】
上記従来技術の課題を解決するための手段として、請求項１の発明に係る手すりは、
細径パイプがその一部を残して太径パイプ内を伸縮自在とされ、細径パイプと太径パイプとの間に引張り弾性体を内臓させた伸縮式手すり本体の両端部を、左右配置で壁面に取り付けるべく、伸縮式手すり本体の一端部は回動側取付具を介して上下方向に回動可能に支持され、他端部は脱着側取付具を介して脱着可能に支持されている手すりにおいて、
細径パイプと太径パイプの外端部にはそれぞれ端末キャップが固着され、伸縮式手すり本体の一端部は、端末キャップと回動側取付具により、上下方向と水平方向とに回動可能に支持され、伸縮式手すり本体の他端部は、端末キャップと脱着側取付具との間に、中心軸を上下方向沿いにして、一方には本体内に前進方向への付勢力を付与された進退ピンを内臓された脱着機能具を有し、他方には前記進退ピンの先端部が嵌合する嵌合穴を有する一対の構成と、一方には前後方向沿いの脱着ガイド溝を有し、他方には該脱着ガイド溝内に位置する伸縮阻止片を有する一対の構成とを備え、脱着側端末キャップの脱着側取付具への装着状態では、前記伸縮阻止片が前記脱着ガイド溝内に位置して、常時伸縮式手すり本体の伸縮方向への伸縮を阻止されると共に、進退ピンが前進していて該進退ピンの先端部が前記嵌合穴に嵌合して当該端末キャップの前後方向への移動を拘束されていて、進退ピンを後退させると該進退ピンの先端部が前記嵌合穴から抜けて当該端末キャップの前後方向への移動の拘束を解除される構成であることを特徴としている。
請求項２に係る手すりは、請求項１の手すりにおいて、
伸縮阻止片が、脱着機能具における本体の先端部分であることを特徴としている。
請求項３に係る手すりは、請求項１の手すりにおいて、
脱着機能具は、進退ピンの後退状態で該進退ピンの先端部の一部分が脱着ガイド溝まで突き出していて、伸縮阻止片が、進退ピンにおける前記先端部であることを特徴としている。
請求項４に係る手すりは、請求項１の手すりにおいて、
伸縮阻止片が、伸縮式手すり本体の他端部に固着した端末キャップであることを特徴としている。
最後に、請求項５の発明に係る手すりに使用可能な伸縮式手すり本体は、
細径パイプがその一部を残して太径パイプ内を伸縮自在とされ、細径パイプと太径パイプとの間に引張り弾性体を内臓させた伸縮式手すり本体において、
前記引張り弾性体にはゴム性弾性体を使用し、該ゴム性弾性体の一端には細径パイプ側拘束具を、他端には太径パイプ側拘束具を固着され、両拘束具の外寸はそれぞれ、それぞれの側のパイプの外寸以下・内寸以上とされて、細径パイプ側拘束具は細径パイプの外端面に、太径パイプ側拘束具は太径パイプの外端面にそれぞれ係止可能であり、細径パイプ側拘束具は、外寸の一部を細径パイプ内を挿通可能な寸法に設定されるとともに、その一部に引掛け穴又は引掛け溝が形成されていて、細径パイプと太径パイプの外端部はそれぞれ、パイプの外端面に拘束具を係止させた状態で端末キャップを固着されていることを特徴としている。
【０００５】
【発明の実施の形態】
本発明に係る手すり及び同手すりに使用可能な伸縮式手すり本体を、図１〜図２０により説明する。
先ず、請求項５に記載の伸縮式手すり本体を図４から図９により説明する。
前記伸縮式手すり本体は、細径パイプ２２がその一部を残して太径パイプ２１内を伸縮自在とされ、細径パイプ２２と太径パイプ２１との間に引張り弾性体３を内臓させた伸縮式手すり本体２に関する。
前記引張り弾性体３としてはゴム性弾性体３ａを使用し、該ゴム性弾性体３ａの一端には細径パイプ側拘束具３３を、他端には太径パイプ側拘束具３１が固着され、両拘束具３１、３３の外寸はそれぞれ、それぞれの側のパイプの外寸以下・内寸以上とされて、細径パイプ側拘束具３３は細径パイプ２２の外端面に、太径パイプ側拘束具３１は太径パイプ２１の外端面にそれぞれ係止可能であり、細径パイプ側拘束具３３は、外寸の一部を細径パイプ２２内を挿通可能な寸法に設定されるとともに、その一部に引掛け穴３５又は引掛け溝３６が形成されていて、細径パイプ２２と太径パイプ２１の外端部はそれぞれ、パイプ２１，２２の外端面に拘束具31，33を係止させた状態で端末キャップ２４、２５を固着されている。
図１のような出入り口１に使用する場合の伸縮式手すり本体２は、縮小時に７００〜８００ｍｍの長さとなり、伸張時には１０００ｍｍ程度の長さになるものが使用しやすいが，この長さに限定されるものではない。
前記細径パイプ側拘束具３３及び太径パイプ側拘束具３１は、金属製の円板状拘束具に形成され、両拘束具３１，３３には、ほぼ中央に曲設された拘束片３２，３４がそれぞれ設けられていて、拘束片３２、３４をゴム性弾性体３ａの両端に対して圧着固定している（図８参照）。
前記ゴム性弾性体３ａは、例えば、外径１１mm、内径８mmの天然ゴム製のゴム管、又はゴム紐を使用している。
伸縮式手すり本体２を構成する太径パイプ２１は外径３２mm、内径２９mm、細径パイプは外径２８mm、内径２５mmで、図６のように共に鋼管２２ａの外周に合成樹脂例えばＡＡＳ樹脂２２ｂが接着コーティングされている。
伸縮式手すり本体２の製作に当たっては、図９のように、通し棒（細い針金）７の先端部のフック７１を細径パイプ側拘束具３３の引掛け穴３５に引掛け、細径パイプ２２と太径パイプ２１との一方端位置を合わせた状態で通し棒７の他端７２が細径パイプ２２の一端側から他端側へ突き出るまで挿通させてから、他端７２を引っ張って、拘束具３１、３３が取付けられたゴム性弾性体３ａをパイプ２１，２２内に挿通させる。通し棒７の他端７２をさらに引張ると、太径パイプ側拘束具３１が太径パイプ２１の外端面に当り止まる。
次に、細径パイプ側拘束具３３を細径パイプ２２の外端面まで引き出し、通し棒７のフック７１を外して、細径パイプ側拘束具３３を細径パイプ２２の外端面に直角に当接させる。そして、伸縮式手すり本体２は、ゴム性弾性体３ａの引張力により太径パイプ２１と細径パイプ２２とを常時引き寄せ合う。
なお、図５、図９のように、太径パイプ２１内に細径パイプ２２を挿入するとき、細径パイプ２２の外周が太径パイプ２１の切断端によって傷が付かないように、太径パイプ２１の接続側端部には接続継手２３が接着されている。
そして、太径パイプ２１と細径パイプ２２の端末にそれぞれ接着キャップ２４ａ、２５ａを接着固定し、パイプ２１、２２内の密閉性を確保する。さらに、該接着キャップ２４ａ、２５ａの外回りには端末キャップ２４，２５が図６のように、左右対称位置で止ねじ２１ｃで固定されている。
【０００６】
次に、請求項１及び４に記載の手すりに関する発明を、図１〜図４、図１０〜図２０により説明する。
請求項第１項に記載の本発明は、細径パイプ２２がその一部を残して太径パイプ２１内を伸縮自在とされ、細径パイプ２２と太径パイプ２１との間に引張り弾性体３を内臓させた伸縮式手すり本体２の両端部を、左右配置で壁面１２に取り付けるべく、伸縮式手すり本体２の一端部は回動側取付具４を介して上下方向に回動可能に支持され、他端部は脱着側取付具５を介して脱着可能に支持されている手すりに関する。
伸縮式手すり本体２は、図１のように、主として高齢者・障害者に対する介護用・自助用として、一般住宅や施設等の玄関、浴室等の出入り口１に、扉１１を横切って横架させる姿勢でほぼ水平に取り付け、高齢者・障害者がこの手すりに添って歩行できるように使用し、また、不使用時には健常者の出入りの邪魔にならないように、出入り口の片側横の壁面１２に吊り下げて置くものである。
図１中、１３はドアノブ、１４は床面、１５は扉１１のヒンジ、８は壁面用手すり本体、８１は壁面用手すり本体８の取付金具である。
細径パイプ２２と太径パイプ２１の外端部にはそれぞれ端末キャップ２４、２５が固着され、伸縮式手すり本体２の一端部は、端末キャップ２５と回動側取付具４により、上下方向と水平方向とに回動可能に支持され、伸縮式手すり本体２の他端部は、端末キャップ２４と脱着側取付具５との間に、中心軸を上下方向沿いにして、一方には本体内に前進方向への付勢力を付与された進退ピン６４を内臓された脱着機能具６を有し、他方には前記進退ピン６４の先端部（下端部分）６５が嵌合する嵌合穴２６ａ（図１１参照）を有する一対の構成と、一方には前後方向沿いの脱着ガイド溝２６ｂ（図１１参照）を有し、他方には前記脱着ガイド溝２６ｂ内に位置する伸縮阻止片Ａを有する一対の構成とを備え、脱着側端末キャップ２４の脱着側取付具５への装着状態では、前記伸縮阻止片Ａが前記脱着ガイド溝２６ｂ内に位置して、常時伸縮式手すり本体２の伸縮方向への伸縮を阻止されると共に、進退ピン６４が前進していて該進退ピン６４の先端部（下端部分）６５が前記嵌合穴２６ａに嵌合して当該端末キャップ２４の前後方向への移動を拘束されていて、進退ピン６４を後退させると該進退ピン６４の先端部（下端部分）６５が前記嵌合穴２６ａから抜けて当該端末キャップ２４の前後方向への移動の拘束を解除可能にされている。
そして、手すりの第１実施例について、図２〜図４、図11〜図13により説明する。
図２〜図４のように、前記伸縮式手すり本体２の太径パイプ２１の端部には、取付孔２８を有する取付片２７を水平方向に設けた端末キャップ２５を固定してあり、細径パイプ２２の端部には、ほぼ中央に嵌合穴２６ａを設け、該嵌合穴２６ａの周囲に前後方向に脱着ガイド溝２６ｂを形成した脱着片２６を設けた端末キャップ２４（図１１参照）が取り付けてある。
前記回動側取付具４には、伸縮式手すり本体２の端末キャップ２５側が上下方向及びほぼ水平方向に回動可能とするために、取付板４１のほぼ中央に軸４２を直角に立設すると共に、該軸４２に対して、同軸４２を支点に回転する筒状の回転体４３と、該回転体４３の側方に取り付けられて、同回転体４３とは反対側部分に、伸縮式手すり本体２が水平回動可能に、上下方向に取付穴４４を設けた水平回動体４５とから成る回動具４６を取り付けている。
前記脱着側取付具５には、取付板５１のほぼ中央に、脱着片２６を係止する２枚の上下の係止板５２、５３をほぼ直角に固定し、上側係止板５２の嵌合中心ねじ孔位置には、内臓された圧縮コイルばね６３で上下動する進退ピン６４を有する脱着機能具６を立設する。脱着機能具６の本体６２における立設部位の先端部分（下端部分）が脱着片２６における脱着ガイド溝２６ｂ内に位置する。伸縮式手すり本体２の他端部は、進退ピン６４の先端部（下端部分）65を嵌合穴２６ａから抜き、次いで脱着機能具６の本体６２における立設部位の先端部分（下端部分）に対して、脱着ガイド溝２６ｂを該脱着ガイド溝２６ｂに沿って前後方向に脱出させた後で脱着側取付具５からの拘束が解除される。
第１実施例の伸縮阻止片Ａは、脱着機能具６の本体６２の先端部分（下端部分）とされる（請求項２記載の発明）。
また、図１４、図１５は、手すりの第２実施例であり、脱着機能具６は、進退ピン６４の後退状態でその進退ピン６４の先端部（下端部分）65が脱着ガイド溝２６ｂまで突き出していて、該先端部（下端部分）65が伸縮阻止片Ａとされる（請求項３記載の発明）。
さらに、図１６から図１９は、手すりの第３実施例であり、伸縮式手すり本体２の他端部に嵌合孔２４ｂを設けた脱着側端末キャップ２４を固定し、他方、壁面１２には、進退ピン６４の先端部６５を嵌合穴２４ｂから抜き、かつ脱着側端末キャップ２４を拘束体９の脱着ガイド溝９１に沿って前後方向に脱出させた後で、脱着側取付具５からの脱着側端末キャップ２４の前後方向への拘束が解除される脱着側取付具５を取り付ける。この場合、脱着側端末キャップ２４が伸縮阻止片Ａとされる（請求項４記載の発明）。
なお、脱着機能具６が伸縮式手すり本体２の脱着側端部に設置され、嵌合穴２６ａが脱着側取付具５側に形成されてもよく、太径パイプ２１が脱着側取付具５側、細径パイプ２２が回動側取付具４側と構成してもよい。
以上のように、主として高齢者・障害者に対する介護用・自助用として、一般住宅や施設等の玄関、浴室等の出入り口に、扉を横切って横架させる姿勢でほぼ水平に取り付け、高齢者・障害者がこの手すりに添って歩行できるように使用でき、他方、不使用時には健常者の出入りの邪魔にならないように、出入り口の片側横に吊り下げて置くことができる。
また、第１実施例及び第２実施例においては、図２０のように、部屋の隅の壁面１２に、回動側取付具４と脱着側取付具５を伸縮式手すり本体２がほぼ水平姿勢となるようにそれぞれ取り付け、この両取付具４，５に伸縮式手すり本体２を、ほぼ水平に横架させることにより、途中で手すりを途切れさせることなく連ねることができ、高齢者や障害者は、同連ねた手すりに添って歩行することができる。
【０００７】
【発明の効果】
本発明は、上述の構成となっているため、以下の特有の効果を奏する。
（１）脱着側取付具に取り付けられる伸縮式手すり本体の端部を脱着側取付具から取り外す際に、進退ピンを後退させても、脱着側端部は常時、脱着側取付具により伸縮式手すり本体の伸縮方向への移動を拘束させた状態であり、一方の手に脱着側パイプを握って支えて脱着側端部を水平に手前に引くと脱出させることができる。
この時、一方の手で必ず脱着側パイプを握り支えているので、伸縮式手すり本体の脱着側取付具からの脱出と同時に生じる急激な強い力を伴った縮小作用を防止し、緩やかに脱出させることができる。従って、伸縮式手すり本体が縮小作用する場合の脱着側取付具からの取り外し作業者の怪我等が防止できる。
（２）伸縮式手すり本体は、引張り弾性体の取付けが容易である。従って、パイプにピン穴等の機械による加工が不用となる。また、引張り弾性体にテンションを加えた状態でも引張り弾性体の取付けが容易にできる。
（３）引張り弾性体にゴム性弾性体を使うことにより、軽く、擦れ音が発生しない伸縮式手すり本体が得られる。また、コストは引張コイルばねを使用した場合の約３分の１となる。
従って、上記（２）（３）の理由から、容易にかつ軽量・安価に擦れ音なく製作可能な伸縮式手すり本体を提供できる。
【図面の簡単な説明】
【図１】本発明の手すりを出入り口に設置したときの実施状態図である。
【図２】伸縮式手すり本体及び回動側取付具、脱着側取付具の斜視図ある。
【図３】伸縮式手すり本体及び回動側取付具、脱着側取付具の取付状態の平面図である。
【図４】伸縮式手すり本体及び回動側取付具、脱着側取付具の取付状態の一部断面正面図である。
【図５】伸縮式手すり本体の断面図である。
【図６】図５におけるＣ―Ｃ断面図である。
【図７】伸縮式手すり本体のゴム性弾性体、両拘束具の斜視図である。
【図８】伸縮式手すり本体のゴム性弾性体に両拘束具を固定した時の説明図である。
【図９】伸縮式手すり本体のゴム性弾性体、両拘束具の組み立て説明図である。
【図１０】伸縮式手すり本体の一端部を回動側取付具に取りつけた状態の左側面図である。
【図１１】手すりの第１実施例における伸縮式手すり本体の他端部としての脱着側端部において細径パイプに嵌着する脱着側端末キャップの斜視図である。
【図１２】手すりの第１実施例における脱着側端部の装着状態においての一部断面右側面図である。
【図１３】手すりの第１実施例における脱着側端部の前後方向への脱出可能状態においての一部断面右側面図である。
【図１４】手すりの第２実施例における脱着側端部の前後方向への脱出可能状態においての一部断面右側面図である。
【図１５】手すりの第２実施例における脱着機能具において進退ピン前進状態を示す断面図である。
【図１６】手すりの第３実施例の説明のための要部斜視図である。
【図１７】手すりの第３実施例における脱着側端部の装着状態においての一部断面正面図である。
【図１８】手すりの第３実施例における脱着側端部の装着状態においての一部断面右側面図である。
【図１９】手すりの第３実施例における脱着側端部の前後方向への脱出可能状態においての一部断面右側面図である。
【図２０】部屋の隅に取付時の平面図である。
【図２１】従来の伸縮式手すり本体の断面図である。
【図２２】従来の伸縮式手すり本体の取付状態の平面図である。
【図２３】従来の伸縮式手すり本体の一端部の手すり支持具への取付状態の左側面図である。
【図２４】従来の伸縮式手すり本体の他端部の脱着取付具への取付状態（固定状態）の一部断面右側面図である。
【図２５】従来の伸縮式手すり本体の他端部の脱着取付具への取付状態（解除可能状態）の一部断面右側面図である。
【符号の説明】
１    出入り口
１１  扉
１２  壁面
１３  ドアノブ
１４  床面
２    伸縮式手すり本体
２１  太径パイプ
２２  細径パイプ
２３  接続継手
２４  端末キャップ
２６  脱着片
２６ａ  嵌合穴
２６ｂ  脱着ガイド溝
２７  取付片
２８  取付孔
３    引張り弾性体
３ａ  ゴム性弾性体
３１  太径パイプ側拘束具
３２  拘束片
３３  細径パイプ側拘束具
３４  拘束片
３５  引掛け穴
３６  引掛け溝
Ａ    伸縮阻止片
４    回動側取付具
４１  取付板
４２  軸
４３  回転体
５    脱着側取付具
５１  取付板
５２  上側係止板
５３  下側係止板
６    脱着機能具
６１  握り玉
６２  本体
６３  圧縮コイルばね
６４  進退ピン
６５ 進退ピンの先端部
７    通し棒
８    壁面用手すり本体
８１  壁面用手すり本体の取付金具
【図１】
0004292438.tif 000002
【図２】
0004292438.tif 000003
【図３】
0004292438.tif 000004
【図４】
0004292438.tif 000005
【図５】
0004292438.tif 000006
【図６】
0004292438.tif 000007
【図７】
0004292438.tif 000008
【図８】
0004292438.tif 000009
【図９】
0004292438.tif 000010
【図１０】
0004292438.tif 000011
【図１１】
0004292438.tif 000012
【図１２】
0004292438.tif 000013
【図１３】
0004292438.tif 000014
【図１４】
0004292438.tif 000015
【図１５】
0004292438.tif 000016
【図１６】
0004292438.tif 000017
【図１７】
0004292438.tif 000018
【図１８】
0004292438.tif 000019
【図１９】
0004292438.tif 000020
【図２０】
0004292438.tif 000021
【図２１】
0004292438.tif 000022
【図２２】
0004292438.tif 000023
【図２３】
0004292438.tif 000024
【図２４】
0004292438.tif 000025
【図２５】
0004292438.tif 000026